(57)【要約】【課題】戸車等の部材の一部を吊り下げ引戸の上端に埋没させるように配置する形式の吊り下げ引戸装置であっても、吊り下げ引戸全体の上下位置を簡易に調整する。【解決手段】この吊り下げ引戸装置用スペーサ部材３０，１３０，２３０，３３０は、戸車１６の少なくとも一部が吊り下げ引戸１１の上端に埋没された状態で配置される吊り下げ引戸装置１０に用いられるものであり、戸車１６と吊り下げ引戸１１の上端の間に挿入される平板略Ｕ字形からなる高さ調整部３１と、高さ調整部３１を構成する平板略Ｕ字形におけるＵ字の底面側から戸枠Ｆの上部側に向けて立設されるアクセス部３２と、を備え、アクセス部３２が、平板形状の上方中央部に逃がし溝部３２ａを設けた平板略Ｕ字形からなり、当該アクセス部３２の設置状態において、平板略Ｕ字形におけるＵ字の開放側が、戸枠Ｆの上部側を向くように構成される。【選択図】図５
2019157514.tif 000002
【特許請求の範囲】
【請求項１】
戸枠の上部に固定されたレールと、
前記レール上を滑走自在なローラを備える戸車と、
前記戸車を介して吊り下げられる吊り下げ引戸と、
を備え、前記戸車の少なくとも一部が前記吊り下げ引戸の上端に埋没された状態で配置される吊り下げ引戸装置に用いられる吊り下げ引戸装置用スペーサ部材であって、
前記戸車と前記吊り下げ引戸の上端の間に挿入される平板略Ｕ字形からなる高さ調整部と、
前記高さ調整部を構成する平板略Ｕ字形におけるＵ字の底面側から前記戸枠の上部側に向けて立設されるアクセス部と、
を備え、
前記アクセス部が、平板形状の上方中央部に逃がし溝部を設けた平板略Ｕ字形からなり、
当該アクセス部の設置状態において、前記平板略Ｕ字形におけるＵ字の開放側が、前記戸枠の上部側を向くように構成されることを特徴とする吊り下げ引戸装置用スペーサ部材。
【請求項２】
請求項１に記載の吊り下げ引戸装置用スペーサ部材において、
前記アクセス部に設けられた前記逃がし溝部の形成位置又は形成位置近傍に、作業工具からのアクセスが可能な突起形状部、穴形状部、曲げ形状部の少なくとも１つ又はこれらの組み合わせからなるアクセス形状部が形成されることを特徴とする吊り下げ引戸装置用スペーサ部材。
【請求項３】
請求項１又は２に記載の吊り下げ引戸装置用スペーサ部材を備える吊り下げ引戸装置。
【発明の詳細な説明】
【技術分野】
【０００１】
本発明は、吊り下げ引戸装置に用いられることで、吊り下げ引戸の高さ調整を行う吊り下げ引戸装置用スペーサ部材と、この吊り下げ引戸装置用スペーサ部材を備える吊り下げ引戸装置に関するものである。
【背景技術】
【０００２】
従来から、戸枠に固定されたレールと、レール上を滑走自在とされるローラを備える戸車と、戸車を介して吊り下げられる吊り下げ引戸と、を備えることで、レールに案内された吊り下げ引戸が左右方向で開閉移動自在とされる吊り下げ引戸装置が公知である。この種の吊り下げ引戸装置では、吊り下げ引戸の高さ調整を行うための機構が種々提案されている。例えば、下記特許文献１には、台座部材とローラ支持用ブラケット部材との間にスペーサ部材（スペース部材）を介入させることで、吊り下げ引戸（扉体）全体の上下位置を調整する構成が開示されている。
【先行技術文献】
【特許文献】
【０００３】
【特許文献１】特開２０１７−２０６９４５号公報
【発明の概要】
【発明が解決しようとする課題】
【０００４】
ところで、従来の吊り下げ引戸装置には、戸車等の部材の一部を吊り下げ引戸の上端に埋没させるように配置することで、省スペース化を図る構成が存在している。しかしながら、このような省スペースタイプの吊り下げ引戸装置に対して上掲した特許文献１に開示されるスペーサ部材（スペース部材）を適用しようとする場合、スペーサ部材（スペース部材）が戸車等の周辺部品に干渉してしまい、スペーサ部材（スペース部材）の着脱が困難となってしまう。つまり、戸車等の部材の一部を吊り下げ引戸の上端に埋没させるように配置する形式の吊り下げ引戸装置に対して、単に特許文献１に開示されるスペーサ部材（スペース部材）を適用するだけでは、吊り下げ引戸（扉体）全体の上下位置を調整する構成を実現することは困難であった。
【０００５】
本発明は、上述した従来技術に存在する課題に鑑みて成されたものであり、その目的は、戸車等の部材の一部を吊り下げ引戸の上端に埋没させるように配置する形式の吊り下げ引戸装置であっても、吊り下げ引戸全体の上下位置を簡易に調整することが可能な構成を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係る吊り下げ引戸装置用スペーサ部材（３０，１３０，２３０，３３０）は、戸枠（Ｆ）の上部に固定されたレール（１５）と、前記レール（１５）上を滑走自在なローラ（１６ａ）を備える戸車（１６）と、前記戸車（１６）を介して吊り下げられる吊り下げ引戸（１１）と、を備え、前記戸車（１６）の少なくとも一部が前記吊り下げ引戸（１１）の上端に埋没された状態で配置される吊り下げ引戸装置（１０）に用いられる吊り下げ引戸装置用スペーサ部材（３０，１３０，２３０，３３０）であって、前記戸車（１６）と前記吊り下げ引戸（１１）の上端の間に挿入される平板略Ｕ字形からなる高さ調整部（３１）と、前記高さ調整部（３１）を構成する平板略Ｕ字形におけるＵ字の底面側から前記戸枠（Ｆ）の上部側に向けて立設されるアクセス部（３２）と、を備え、前記アクセス部（３２）が、平板形状の上方中央部に逃がし溝部（３２ａ）を設けた平板略Ｕ字形からなり、当該アクセス部（３２）の設置状態において、前記平板略Ｕ字形におけるＵ字の開放側が、前記戸枠（Ｆ）の上部側を向くように構成されることを特徴とするものである。
【０００８】
また、本発明に係る吊り下げ引戸装置用スペーサ部材（３０，１３０，２３０，３３０）は、前記アクセス部（３２）に設けられた前記逃がし溝部（３２ａ）の形成位置又は形成位置近傍に、作業工具（６１）からのアクセスが可能な突起形状部（３２ｂ，１３２ｂ）、穴形状部（２３２ｂ）、曲げ形状部（３３２ｂ）の少なくとも１つ又はこれらの組み合わせからなるアクセス形状部が形成されることとしてもよい。
【０００９】
さらに、本発明は、上記の吊り下げ引戸装置用スペーサ部材（３０，１３０，２３０，３３０）を備える吊り下げ引戸装置（１０）を含むものである。
【発明の効果】
【００１０】
本発明によれば、戸車等の部材の一部を吊り下げ引戸の上端に埋没させるように配置する形式の吊り下げ引戸装置であっても、吊り下げ引戸全体の上下位置を簡易に調整することが可能な構成を提供することができる。
【図面の簡単な説明】
【００１１】
【図１】本実施形態に係る吊り下げ引戸装置の全体構成を示す図であり、図中の分図（ａ）は、吊り下げ引戸が全閉された状態を示しており、図中の分図（ｂ）は、吊り下げ引戸が全開された状態を示している。
【図２】本実施形態に係る吊り下げ引戸装置用スペーサ部材が取り付けられた状態における吊り下げ引戸装置の要部構成を示す図であり、図中の分図（ａ）は、吊り下げ引戸が全閉された状態での上面視が示され、図中の分図（ｂ）は、吊り下げ引戸が全閉された状態での部分破断正面視が示されている。
【図３】本実施形態に係る吊り下げ引戸装置用スペーサ部材が取り付けられた状態における吊り下げ引戸装置の要部構成を示す図であり、図中の分図（ａ）は、吊り下げ引戸が全開された状態での上面視が示され、図中の分図（ｂ）は、吊り下げ引戸が全開された状態での部分破断正面視が示されている。
【図４】本実施形態に係る吊り下げ引戸装置が備える戸車の設置箇所の構成を説明するための部分縦断面図である。
【図５】本実施形態に係る吊り下げ引戸装置用スペーサ部材の具体的な構成を説明するための図であり、図中の分図（ａ）は側面視を示し、分図（ｂ）は上面視を示し、分図（ｃ）は正面視を示している。
【図６】吊り下げ引戸装置用スペーサ部材を戸車と吊り下げ引戸の上端との間から取り外す場合の作業手順を説明するための図である。
【図７】本発明に係る吊り下げ引戸装置用スペーサ部材に形成されるアクセス形状部が取り得る第一変形例を示す図であり、図中の分図（ａ）は側面視を示し、分図（ｂ）は上面視を示し、分図（ｃ）は正面視を示している。
【図８】図７で示した吊り下げ引戸装置用スペーサ部材の取り外しの際の様子を示す図である。
【図９】本発明に係る吊り下げ引戸装置用スペーサ部材に形成されるアクセス形状部が取り得る第二変形例を示す図であり、図中の分図（ａ）は側面視を示し、分図（ｂ）は上面視を示し、分図（ｃ）は正面視を示している。
【図１０】図９で示した吊り下げ引戸装置用スペーサ部材の取り外しの際の様子を示す図である。
【図１１】本発明に係る吊り下げ引戸装置用スペーサ部材に形成されるアクセス形状部が取り得る第三変形例を示す図であり、図中の分図（ａ）は側面視を示し、分図（ｂ）は上面視を示し、分図（ｃ）は正面視を示している。
【図１２】図１１で示した吊り下げ引戸装置用スペーサ部材の取り外しの際の様子を示す図である。
【発明を実施するための形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
まず、図１〜図４を用いて、本実施形態に係る吊り下げ引戸装置１０の構成を説明する。ここで、図１は、本実施形態に係る吊り下げ引戸装置の全体構成を示す図であり、図中の分図（ａ）は、吊り下げ引戸が全閉された状態を示しており、図中の分図（ｂ）は、吊り下げ引戸が全開された状態を示している。また、図２は、本実施形態に係る吊り下げ引戸装置用スペーサ部材が取り付けられた状態における吊り下げ引戸装置の要部構成を示す図であり、図中の分図（ａ）は、吊り下げ引戸が全閉された状態での上面視が示され、図中の分図（ｂ）は、吊り下げ引戸が全閉された状態での部分破断正面視が示されている。さらに、図３は、本実施形態に係る吊り下げ引戸装置用スペーサ部材が取り付けられた状態における吊り下げ引戸装置の要部構成を示す図であり、図中の分図（ａ）は、吊り下げ引戸が全開された状態での上面視が示され、図中の分図（ｂ）は、吊り下げ引戸が全開された状態での部分破断正面視が示されている。またさらに、図４は、本実施形態に係る吊り下げ引戸装置が備える戸車の設置箇所の構成を説明するための部分縦断面図である。
【００１４】
図１に示すように、本実施形態に係る吊り下げ引戸装置１０は、左右方向に開閉操作可能な吊り下げ引戸１１を備えている。吊り下げ引戸１１は、開口部Ｓの戸尻側を構成する壁体として形成された戸袋部１２に収納されて開口部Ｓを開放する全開姿勢（図１中の分図（ｂ）参照）と、戸袋部１２から引き出されて開口部Ｓを閉鎖する全閉姿勢（図１中の分図（ａ）参照）とをとることが可能となっている。吊り下げ引戸１１には、上下方向で中央位置の反戸袋部側に引き手部１３が形成されている。操作者が引き手部１３に手指を引っ掛けて左右方向に操作することで、吊り下げ引戸１１の全閉状態と全開状態を実現可能となっている。
【００１５】
また、図１中の分図（ａ）で示す吊り下げ引戸１１が全閉された状態での吊り下げ引戸１１の上部位置には、戸枠Ｆに対して点検カバー１４が設置されている。この点検カバー１４は、戸枠Ｆから着脱することが可能となっており、吊り下げ引戸装置１０の点検作業や、後述する吊り下げ引戸装置用スペーサ部材３０の着脱作業の際には、点検カバー１４が取り外された状態で作業が実施されることとなる。
【００１６】
図２〜図４に示すように、戸枠Ｆの上部にはレール１５が固定設置されている。このレール１５には、ローラ１６ａを備える戸車１６が設置されており、ローラ１６ａがレール１５上を滑走することで、レール１５の長手方向に沿って戸車１６が戸枠Ｆの左右方向で移動自在となっている。本実施形態では、１つの戸車１６に２つのローラ１６ａが設置されており、また、１枚の吊り下げ引戸１１に対して２つの戸車１６が設置されている。
【００１７】
さらに、本実施形態に係る吊り下げ引戸１１は、その上端部が窪んだ凹み形状部１１ａを有しており、この凹み形状部１１ａに対して戸車１６の下方の一部が埋没された状態で配置される構成となっている（図４参照）。かかる構成によって、吊り下げ引戸装置１０のコンパクト化が実現できるので、点検カバー１４によって目隠しする機構部分の省スペース化を図ることが可能となっている。
【００１８】
なお、本実施形態に係る吊り下げ引戸装置１０には、上述した構成に加えて、戸枠Ｆ側に設置されるラック２１と、吊り下げ引戸１１側に設置されるピニオン２２とで構成される制動装置によって、吊り下げ引戸１１が急激に閉じられて戸枠Ｆに衝突してしまうことを避ける制動機構等が設けられているが、かかる機構等は、従来から公知の機構であるので、詳細説明は省略する。
【００１９】
さて、上述した基本構成を有する吊り下げ引戸装置１０には、戸車１６と吊り下げ引戸１１の上端の間の位置に、吊り下げ引戸装置用スペーサ部材３０が設置されている。吊り下げ引戸装置用スペーサ部材３０の設置状態は、図２〜図４に示されている。ここで、図５を参照図面に加えて、本実施形態に係る吊り下げ引戸装置用スペーサ部材３０の具体的な構成を説明する。図５は、本実施形態に係る吊り下げ引戸装置用スペーサ部材の具体的な構成を説明するための図であり、図中の分図（ａ）は側面視を示し、分図（ｂ）は上面視を示し、分図（ｃ）は正面視を示している。
【００２０】
本実施形態に係る吊り下げ引戸装置用スペーサ部材３０は、戸車１６と吊り下げ引戸１１の上端に形成された凹み形状部１１ａの間に挿入される平板略Ｕ字形からなる高さ調整部３１と、高さ調整部３１を構成する平板略Ｕ字形におけるＵ字の底面側から戸枠Ｆの上部側（図５中の分図（ｃ）における紙面上側）に向けて立設されるアクセス部３２と、を備えて構成されている。高さ調整部３１の厚み寸法が、吊り下げ引戸１１の上下方向での位置の調整代となっており、高さ調整部３１を戸車１６と吊り下げ引戸１１の上端に形成された凹み形状部１１ａの間に挿入することで、高さ調整部３１の厚み寸法分だけ、吊り下げ引戸１１の上下方向での位置を引き下げることが可能となる。また、高さ調整部３１の厚み寸法を変更することで、もしくは吊り下げ引戸装置用スペーサ部材３０を高さ調整部３１の厚み方向に複数重ねて使用することで、吊り下げ引戸１１の上下方向での調整位置を変更することが可能である。
【００２１】
また、高さ調整部３１は、平板略Ｕ字形によって構成されることで、長手方向に延びる切り欠き形状部３１ａを備えている。この切り欠き形状部３１ａは、戸車１６と吊り下げ引戸１１の上端に形成された凹み形状部１１ａの間に挿入する際に、戸車１６と吊り下げ引戸１１の上端を接続するボルト１８を避けるために形成された部位である。
【００２２】
一方、アクセス部３２は、平板形状の上方中央部に逃がし溝部３２ａを設けた平板略Ｕ字形を有して構成されている。このアクセス部３２は、設置状態において、平板略Ｕ字形におけるＵ字の開放側、すなわち、逃がし溝部３２ａの開放側が、戸枠Ｆの上部側を向くように構成される部材である。逃がし溝部３２ａについては、吊り下げ引戸装置用スペーサ部材３０を戸車１６と吊り下げ引戸１１の上端との間から取り外す際に、戸枠Ｆ側に設置されたレール１５を避けて取り出し作業の簡易化を図るための部位となっている。
【００２３】
さらに、アクセス部３２には、逃がし溝部３２ａの開放側の端部の溝内側に突状をした左右一対の突起形状部３２ｂが形成されている。この左右一対の突起形状部３２ｂは、本発明に係るアクセス形状部として機能する部位であり、吊り下げ引戸装置用スペーサ部材３０を戸車１６と吊り下げ引戸１１の上端との間から取り外す際に、作業工具等からのアクセスを受けて取り出し作業の簡易化を図るための部位となっている。
【００２４】
なお、吊り下げ引戸装置用スペーサ部材３０を戸車１６と吊り下げ引戸１１の上端との間に挿入設置する場合の作業手順について、図２中の分図（ｂ）を参照して説明すると、紙面左側に設置された戸車１６と吊り下げ引戸１１の上端との間に吊り下げ引戸装置用スペーサ部材３０を挿入設置する場合には、戸車１６と吊り下げ引戸１１の上端とを固定している２本のボルト１８を緩め、戸車１６と吊り下げ引戸１１の上端との間に隙間を形成しておく。この状態から、２つの戸車１６の間のスペースに吊り下げ引戸装置用スペーサ部材３０を載置する。この際、吊り下げ引戸装置用スペーサ部材３０は、高さ調整部３１を構成する平板略Ｕ字形におけるＵ字の開放側、すなわち、高さ調整部３１に形成された切り欠き形状部３１ａの開放側が紙面左側に位置するように載置する。この状態から、吊り下げ引戸装置用スペーサ部材３０を紙面左方向に向けてスライド移動させることで、戸車１６と吊り下げ引戸１１の上端との間に形成された隙間に吊り下げ引戸装置用スペーサ部材３０が挿入される。挿入完了後、２本のボルト１８を締め込んで戸車１６と吊り下げ引戸装置用スペーサ部材３０と吊り下げ引戸１１の上端とを完全に固定することで、吊り下げ引戸装置用スペーサ部材３０の設置が完了する。
【００２５】
また、図２中の分図（ｂ）の紙面右側に設置された戸車１６と吊り下げ引戸１１の上端との間に吊り下げ引戸装置用スペーサ部材３０を挿入設置する場合には、上述した作業手順に対して左右対称となるように部材配置して作業すればよい。
【００２６】
以上、吊り下げ引戸装置用スペーサ部材３０を戸車１６と吊り下げ引戸１１の上端との間に挿入設置する場合の作業手順について説明した。次に、図６を参照図面に加えて、吊り下げ引戸装置用スペーサ部材３０を戸車１６と吊り下げ引戸１１の上端との間から取り外す場合の作業手順を説明する。
【００２７】
図６は、吊り下げ引戸装置用スペーサ部材を戸車と吊り下げ引戸の上端との間から取り外す場合の作業手順を説明するための図である。図６において、符号（１）は、吊り下げ引戸装置用スペーサ部材３０が取り付けられた状態が示されている。この符号（１）の状態から、戸車１６が有する２本のボルト１８を緩めて戸車１６と吊り下げ引戸１１の上端との間に隙間を作り、吊り下げ引戸装置用スペーサ部材３０をスライド移動させて２つの戸車１６の間のスペースに載置させる。このときの状態が、符号（２）で示されている。符号（２）で示す状態からドライバー６１等の作業工具を逃がし溝部３２ａに挿入する。このとき、突起形状部３２ｂにドライバー６１の先端を引っ掛けるなどして吊り下げ引戸装置用スペーサ部材３０を作業者側に引き寄せ（図６中の符号（３）参照）、さらに作業者側に浮き上がらせるなどして手で摘みあげ、符号（４）で示す状態とする。この状態から、符号（５）→（６）→（７）→（８）へと吊り下げ引戸装置用スペーサ部材３０を移動させることで、最終的に符号（９）で示すように取り外しが完了する。なお、符号（５）から（９）で示す状態に移行する際に、アクセス部３２に形成された逃がし溝部３２ａの形状の効果によって、吊り下げ引戸装置用スペーサ部材３０はレール１５をかわしながら取り外すことができる。また、本実施形態では、逃がし溝部３２ａの開放側の端部の溝内側に突状をした左右一対の突起形状部３２ｂが形成されているので、たとえ、吊り下げ引戸１１の上端部が窪んだ凹み形状部１１ａに対して戸車１６の下方の一部が埋没された状態で配置される構成であっても、吊り下げ引戸装置用スペーサ部材３０を簡易に取り外すことが可能となっている。
【００２８】
なお、図６を用いた上記の説明では、吊り下げ引戸装置用スペーサ部材３０を戸車１６と吊り下げ引戸１１の上端との間から取り外す場合の作業手順を説明したが、これとは逆に、吊り下げ引戸装置用スペーサ部材３０を２つの戸車１６の間のスペースに載置させる場合には、図６の符号（９）から（１）へと手順を進めることで、吊り下げ引戸装置用スペーサ部材３０を載置することができる。ただし、２つの戸車１６の間のスペースに吊り下げ引戸装置用スペーサ部材３０を載置する場合には、図６の符号（３）および（２）で示したドライバー６１等の作業工具は不要となる可能性がある。
【００２９】
以上、本発明の好適な実施形態について説明したが、本発明の技術的範囲は上記実施形態に記載の範囲には限定されない。上記実施形態には、多様な変更又は改良を加えることが可能である。
【００３０】
例えば、上述した本実施形態に係る吊り下げ引戸装置用スペーサ部材３０が備える突起形状部３２ｂについては、本発明が取り得る一形態例を示したに過ぎず、本発明に係るアクセス形状部については、アクセス部３２に設けられた逃がし溝部３２ａの形成位置又は形成位置近傍に対して、作業工具からのアクセスが可能な突起形状部、穴形状部、曲げ形状部の少なくとも１つ又はこれらの組み合わせからなる形状として形成することが可能である。その具体的な変形例として、図７〜図１２を示す。なお、図７〜図１２において、上述した実施形態と同一又は類似する部材については、同一符号を付して説明を省略する。
【００３１】
まず、図７は、本発明に係る吊り下げ引戸装置用スペーサ部材に形成されるアクセス形状部が取り得る第一変形例を示す図であり、図中の分図（ａ）は側面視を示し、分図（ｂ）は上面視を示し、分図（ｃ）は正面視を示している。また、図８は、図７で示した吊り下げ引戸装置用スペーサ部材の取り外しの際の様子を示す図である。
【００３２】
図７および図８で示すように、第一変形例に係る吊り下げ引戸装置用スペーサ部材１３０では、アクセス部３２に形成された逃がし溝部３２ａの開放側の端部の溝内側に形成された突起形状部３２ｂに加えて、逃がし溝部３２ａの開放側の端部の溝外側に左右一対の突起形状部１３２ｂが形成されている。つまり、第一変形例では、逃がし溝部３２ａの開放側の端部が略Ｔ字形状にて形成されている。かかる形状は、ドライバー６１等の作業工具を引っ掛けることのできる箇所を増加することになるので、吊り下げ引戸装置用スペーサ部材１３０の取り出し作業の簡易化を図ることができる。
【００３３】
次に、図９は、本発明に係る吊り下げ引戸装置用スペーサ部材に形成されるアクセス形状部が取り得る第二変形例を示す図であり、図中の分図（ａ）は側面視を示し、分図（ｂ）は上面視を示し、分図（ｃ）は正面視を示している。また、図１０は、図９で示した吊り下げ引戸装置用スペーサ部材の取り外しの際の様子を示す図である。
【００３４】
図９および図１０で示す第二変形例に係る吊り下げ引戸装置用スペーサ部材２３０では、アクセス形状部が穴形状部２３２ｂとして形成されている。上述した突起形状部３２ｂ，１３２ｂに代えて、穴形状部２３２ｂとすることでも、ドライバー６１等の作業工具を好適に引っ掛けることができる。
【００３５】
さらに、図１１は、本発明に係る吊り下げ引戸装置用スペーサ部材に形成されるアクセス形状部が取り得る第三変形例を示す図であり、図中の分図（ａ）は側面視を示し、分図（ｂ）は上面視を示し、分図（ｃ）は正面視を示している。また、図１２は、図１１で示した吊り下げ引戸装置用スペーサ部材の取り外しの際の様子を示す図である。
【００３６】
図１１および図１２で示す第三変形例に係る吊り下げ引戸装置用スペーサ部材３３０では、アクセス形状部が曲げ形状部３３２ｂとして形成されている。この曲げ形状部３３２ｂは、アクセス部３２に形成された逃がし溝部３２ａの開放側の端部を外側に向けて折り曲げた形状として構成されている。上述した突起形状部３２ｂ，１３２ｂや穴形状部２３２ｂに代えて、曲げ形状部３３２ｂとすることでも、ドライバー６１等の作業工具を好適に引っ掛けることができる。
【００３７】
なお、上述した突起形状部３２ｂ，１３２ｂについては、アクセス部３２に形成された逃がし溝部３２ａの開放側の２つの端部において、左右いずれか一方が端部の溝内側を向き、左右いずれか他方が溝外側を向くといった、左右で内外逆方向に突出した突起形状部としてもよいし、左右両方が溝外側を向いた構成としてもよい。
【００３８】
その様な変更又は改良を加えた形態も本発明の技術的範囲に含まれ得ることが、特許請求の範囲の記載から明らかである。
【符号の説明】
【００３９】
１０  吊り下げ引戸装置、１１  吊り下げ引戸、１１ａ  凹み形状部、１２  戸袋部、１３  引き手部、１４  点検カバー、１５  レール、１６  戸車、１６ａ  ローラ、１８  ボルト、２１  ラック、２２  ピニオン、３０，１３０，２３０，３３０  吊り下げ引戸装置用スペーサ部材、３１  高さ調整部、３１ａ  切り欠き形状部、３２  アクセス部、３２ａ  逃がし溝部、３２ｂ，１３２ｂ  突起形状部、６１  ドライバー、２３２ｂ  穴形状部、３３２ｂ  曲げ形状部、Ｆ  戸枠、Ｓ  開口部。
【図１】
2019157514.tif 000003
【図２】
2019157514.tif 000004
【図３】
2019157514.tif 000005
【図４】
2019157514.tif 000006
【図５】
2019157514.tif 000007
【図６】
2019157514.tif 000008
【図７】
2019157514.tif 000009
【図８】
2019157514.tif 000010
【図９】
2019157514.tif 000011
【図１０】
2019157514.tif 000012
【図１１】
2019157514.tif 000013
【図１２】
2019157514.tif 000014